(57)【要約】【課題】  株価一覧表示の画面において、複数銘柄について日中足、日足、若しくは週足の状況を表示して株価の動向を容易に把握できる株価一覧表示システムを提供する。【解決手段】  上位サーバ３から配信される株価情報を株価端末１において記憶部１５に蓄積し、蓄積された４本値のデータの現在値と前日終値とを用いて制御部１１が前日比較率を算出し、当該前日比較率を基に直近日中足の棒クラフを作成し、銘柄毎に４本値、比較のデータ、直近日中足の棒グラフを大画面表示部２に表示する株価一覧表示システムである。【選択図】        図１
2006236186.tif 000002
【特許請求の範囲】
【請求項１】
複数銘柄について始値、高値、安値、現在値の４本値を受信して複数の銘柄の株価を一覧表示する株価一覧表示システムであって、
銘柄毎に４本値と共に日中足のグラフを表示することを特徴とする株価一覧表示システム。
【請求項２】
日中足のグラフは、特定時間間隔で、現在値と前日終値を用いて算出した前日比較率に対応したバーを時系列に配列したことを特徴とする請求項１記載の株価一覧表示システム。
【請求項３】
日中足のグラフは、直近の一定時間を表示したことを特徴とする請求項２記載の株価一覧表示システム。
【発明の詳細な説明】
【技術分野】
【０００１】
本発明は、証券会社等に設置される株価を一覧表示するシステムに係り、特に、１画面に複数銘柄の４本値データと当該銘柄の日中足グラフ、又は日足、週足のグラフを表示して株価の上がり下がりの状況を把握できる株価一覧表示システムに関する。
【背景技術】
【０００２】
証券会社等に設置される表示ボードに株価の一覧を表示する株価一覧表示システムは、図１０に示すように、始値、高値、安値、現在値の４本値と比較（＝現在値−前日終値）が表示されるものとなっていた。図１０は、従来の株価一覧の表示例である。
【０００３】
また、受信した株価データに基づいて日中足グラフを表示する先行技術は、平成６（１９９４）年１０月２８日公開の特開平６−３０１６８２号公報「表示装置の表示方法」に記載されている（特許文献１）。
【０００４】
【特許文献１】特開平６−３０１６８２号公報
【発明の開示】
【発明が解決しようとする課題】
【０００５】
しかしながら、上記従来の株価一覧表示システムでは、複数の銘柄について、銘柄毎に４本値と比較が表示されるだけで、その株価が上がる方向にあるのか、下がる方向にあるのかまで一覧表示からは判断することができず、たとえ、現在値の歩みデータを表示したとしても、数値データの表示となるため、分かりにくいという問題点があった。
【０００６】
また、特許文献１のように、一つの銘柄について日中足をグラフで表示するものもあるが、画面上には一つの銘柄の日中足グラフしか表示されず、株価一覧表示の画面において表示された全ての銘柄の日中足を参照することができず、閲覧者にとって利便性に欠けるという問題点があった。
【０００７】
本発明は上記実情に鑑みて為されたもので、株価一覧表示の画面において、複数銘柄について日中足、日足、若しくは週足の状況を表示して株価の動向を容易に把握できる株価一覧表示システムを提供することを目的とする。
【課題を解決するための手段】
【０００８】
上記従来例の問題点を解決するための本発明は、複数銘柄について始値、高値、安値、現在値の４本値を受信して複数の銘柄の株価を一覧表示する株価一覧表示システムであって、銘柄毎に４本値と共に日中足のグラフを表示することを特徴とする。
【０００９】
本発明は、上記株価一覧表示システムにおいて、日中足のグラフが、特定時間間隔で、現在値と前日終値を用いて算出した前日比較率に対応したバーを時系列に配列したことを特徴とする。
【００１０】
本発明は、上記株価一覧表示システムにおいて、日中足のグラフが、直近の一定時間を表示したことを特徴とする。
【発明の効果】
【００１１】
本発明によれば、複数銘柄について始値、高値、安値、現在値の４本値を受信して複数の銘柄の株価を一覧表示する株価一覧表示システムであって、銘柄毎に４本値と共に日中足のグラフを表示する株価一覧表示システムとしているので、複数銘柄の株価一覧表示において時間単位の株価の値動きを容易に把握できる効果がある。
【００１２】
本発明によれば、日中足のグラフが、特定時間間隔で、現在値と前日終値を用いて算出した前日比較率に対応したバーを時系列に配列した上記株価一覧表示システムとしているので、株価の値動きを前日比較率によって時系列に容易に把握できる効果がある。
【００１３】
本発明によれば、日中足のグラフが、直近の一定時間を表示した上記株価一覧表示システムとしているので、直近の日中足の状況を容易に把握できる効果がある。
【発明を実施するための最良の形態】
【００１４】
本発明の実施の形態について図面を参照しながら説明する。
本発明の実施の状態に係る株価一覧表示システムは、画面上に表示された複数銘柄について、銘柄毎に直近の日中足の状況をグラフで表示したものであり、複数の銘柄の一覧表示において各々の株価の動向を時間単位で容易に把握でき、閲覧者の利便性を向上させたものである。
【００１５】
また、本発明の実施の状態に係る株価一覧表示システムは、画面上に表示された複数銘柄について、銘柄毎に直近の日足の状況をグラフで表示したものであり、複数の銘柄の一覧表示において各々の株価の動向を日単位で容易に把握でき、閲覧者の利便性を向上させたものである。
【００１６】
また、本発明の実施の状態に係る株価一覧表示システムは、画面上に表示された複数銘柄について、銘柄毎に直近の週足の状況をグラフで表示したものであり、複数の銘柄の一覧表示において各々の株価の動向を週単位で容易に把握でき、閲覧者の利便性を向上させたものである。
【００１７】
また、本発明の実施の状態に係る株価一覧表示システムは、上記株価一覧表示システムにおいて、市場別、更に業種別に、売上高上位、売買代金上位、値上がり幅上位、値下がり幅上位、値上がり率上位、値下がり率上位の順番で銘柄をランキングし、当該ランキングに基づいて銘柄を並び替えて一覧表示するものであり、特定ランキングに基づく銘柄の順位を容易に把握できるものである。
【００１８】
［株価一覧表示システム］
次に、本発明の実施の形態に係る株価一覧表示システムについて図１を参照しながら説明する。図１は、本発明の実施の形態に係る株価一覧表示システムの構成ブロック図である。
本発明の実施の形態に係る株価一覧表示システム（本システム）は、図１に示すように、株価端末１と、大画面表示部２と、上位サーバ３と、制御端末４とから構成されている。
上位サーバ３と株価端末１とは、回線で接続され、大画面表示部２と制御端末４は、株価端末１に接続されている。
【００１９】
本システムの各部を具体的に説明する。
［株価端末］
株価端末１は、証券会社等の金融機関の支店、店舗に設置され、上位サーバ３から株価情報を受信し、受信した株価情報を編集加工して４つの大画面表示部２ａ〜２ｄに株価情報を表示させる制御を行う。
【００２０】
［大画面表示部］
大画面表示部２ａ〜２ｄは、証券会社等の店舗に設置され、株価端末１からの制御により株価情報を表示する。基本的には、４つの画面には同じ内容が表示されるようになっている。
尚、大画面表示部は、ＬＣＤ（Liquid Crystal Display：液晶ディスプレイ）で構成されている。
【００２１】
ここで、大画面表示部２の一つの表示画面に表示される株価一覧表示例について図２を参照しながら説明する。図２は、本発明の実施の形態に係る株価一覧表示例を示す概略図である。
大画面表示部２における表示画面は、図２に示すように、表示項目として、左から、銘柄名（Ａ〜Ｍは銘柄名を示している）、その銘柄の始値、高値、安値、現在値、比較の値であり、その比較の値の右横に直近日中足の状況がグラフで表示される。この直近日中足のグラフ部分を日中足表示部分とする。
【００２２】
日中足表示部分は、横方向に中心線が引かれており、この中心線が時間軸に対応している。つまり、中心線の右端に最新のバーが表示される。１つのバーの幅が、特定時間、例えば、５分（この値は制御端末４によって変更可能である）を示している。
よって、最新の日中足のデータが中心線の右端の部分にバーとして表示され、それより５分前の日中足のデータが左隣のバーに表示され、左に向かって時間的に過去のデータがバーとして表示される。
【００２３】
また、中心線の上側がプラス（＋）で、下側がマイナス（−）の値となっている。プラスとマイナスでは異なる色を使ってバーを表示するようにしている。例えば、プラスを赤色で、マイナスを緑色にすることが考えられる。
【００２４】
次に、日中足のデータの算出方法を説明する。
日中足のデータは、前日比較率を用いている。前日比較率は、以下の式により求められる。
前日比較率＝［（現在値−前日終値）／前日終値］×１００
一つのバーの時間幅（例えば、５分）の時間内で得られた現在値を基に、上記式を用いて前日比較率を算出する。算出された前日比較率によって、バーの長さが定まり、その長さで日中足のデータを表示する。
【００２５】
前日比較率の値にバーの長さを正比例させてもよい。また、小さい値動きが分かりやすいように、対数関数のような対応をさせてもよい。
更に、例えば、前日比較率が０〜１．０の場合に、バーの長さＡ１とし、更に、前日比率が１．０〜１０．０の場合に、バーの長さＡ２とし、Ａ１の上にＡ２を積み重ねて表示するようにしてもよい。尚、Ａ１の長さとＡ２の長さが同じであってもよいし、Ａ１，Ａ２の長さに前日比較率を均等に配分してもよい。
【００２６】
表示方法としては、最新のバーを表示する時間幅が開始すると、まず、４本値の現在値を読み込んで、上記式に従って前日比較率を算出し、算出された値に対応したバーを中心線の右端に表示する。そして、その時間幅の時間終了（例えば、５分経過）するまでに、現在値の変動があると、また前日比較率を算出してバーを表示し直す。時間幅の間で何度も現在値の変動があるならば、その度バーを表示し直す。
尚、リアルタイム性の精度をそれ程求めないのであれば、時間幅が開始する時点で１回、前日比較率を算出してバーを表示するといった簡易表示も可能である。
【００２７】
また、表示画面は、１ページ１３銘柄を１０ページ分登録可能であり、それらを一定時間間隔で巡回表示させるようになっている。
【００２８】
［上位サーバ］
上位サーバ３は、証券取引所等に設置され、株価情報を株価端末１に配信する。
株価情報としては、始値、高値、安値、現在値の４本値、比較等のリアルデータと、日足、週足のヒストリカルデータがある。リアルデータは、売買が発生すればリアルタイムに送信されるものであり、ヒストリカルデータは、定期的に送信されるものである。
【００２９】
［制御端末］
制御端末４は、株価端末１に接続し、銘柄登録情報、表示設定情報の設定を行う。
銘柄登録情報とは、大画面表示部２に表示させる銘柄の識別情報である。つまり、銘柄登録情報に登録された銘柄が大画面表示部２に表示される。
また、表示設定情報とは、表示フォーマットを設定する情報であり、例えば、図２の表示形式、図７の表示形式等が選択されて設定される。
【００３０】
［株価端末の内部構成］
次に、株価端末１の内部構成について説明する。
株価端末１の内部構成は、制御部１１と、主メモリ１２と、受信部１３と、表示制御部１４と、記憶部１５と、インタフェース部１６とを備えている。
【００３１】
［制御部］
制御部１１は、株価端末１内の各部を制御するものであり、特に、記憶部１５に記憶された処理プログラムを読み込んで、主メモリ１２上で展開し、処理プログラムを実行させる。
制御部１１の処理は、具体的には、図５に示す株価情報蓄積処理と、図６に示す株価情報表示処理とがある。これら処理については後述する。
【００３２】
［主メモリ］
主メモリ１２は、記憶部１５に記憶されている処理プログラムを展開したり、一時的なデータ、パラメータを記憶するものであり、それらデータ等はプログラム処理に使用される。
［受信部］
受信部１３は、上位サーバ３から配信された株価情報を受信する。
［表示制御部］
表示制御部１４は、表示用として編集加工されたデータを大画面表示部２で表示されるよう制御を行う。
【００３３】
［記憶部］
記憶部１５は、処理プログラム、銘柄登録情報、表示設定情報、日中足表示情報テーブル、受信した株価情報を記憶する。
尚、株価情報については、４本値、比較のデータ（リアルデータ）を蓄積する４本値データ蓄積エリアと、ヒストリカルデータを蓄積するヒストリカルデータ蓄積エリアとを備えている。
日中足表示情報テーブルは、図２における直近日中足表示部分を表示するためのパラメータが設定されたテーブルである。
日中足表示情報テーブルの詳細については後述する。
【００３４】
［インタフェース部］
インタフェース部１６は、制御端末４と株価端末１とを接続するためのものであり、制御端末４の指示信号を株価端末１に送信するための通信関連のインタフェース部となっている。
【００３５】
［日中足表示情報テーブル］
次に、記憶部１５に記憶された日中足表示情報テーブルについて図３を参照しながら説明する。図３は、日中足表示情報テーブルの概略図である。
日中足表示情報テーブルは、図３に示すように、「前日比較率」に対して「表示サイズ」「表示色」を規定したテーブルである。
【００３６】
「表示サイズ」は、バーの高さを示しており、図３のテーブルでは、１６段階となっている。従って、前日比較率が７．０以上又は−７．０以下で上限又は下限となる。但し、前日比較率が７．０％以上１０．０％未満では表示色は赤っぽいピンクに、１０％以上では表示色は赤に変化させ、前日比較率が−７．０％以下−１０．０％で表示色は青っぽい水色に、−１０．０％以下では表示色は青に変化するようになっている。
【００３７】
尚、図３のテーブルでは、例えば、前日比較率が０．０〜０．８では、０．２毎に表示サイズが１ずつ増加し、０．８〜１．７では、０．３毎に表示サイズが１ずつ増加し、１．７〜２．５では、０．４毎に表示サイズが１ずつ増加し、２．５〜３．０では、０．５で表示サイズが１増加し、３．０〜３．６では、０．６で表示サイズが１増加し、３．６〜４．３では、０．７で表示サイズが１増加し、４．３〜５．１では、０．８で表示サイズが１増加し、５．１〜６．０では、０．９で表示サイズが１増加し、６．０〜７．０では、１．０で表示サイズが１増加し、７．０以上では表示サイズは最大となる設定になっている。
【００３８】
［日中足表示部分］
次に、日中足表示部分について図４を参照しながら、図３のテーブルとの関係で具体的に説明する。図４は、直近日中足グラフ拡大図である。
図３の日中足表示情報テーブルでは、表示サイズを１６段階としているので、図４のグラフにおいても、中心線上下において１６段階でバーが表示可能となっている。前日比較率が９．０以上又は−９．０以下では最大の長さとなる。
【００３９】
また、前日比較率が−１０．０以下では青でバーが表示され、−９．０〜−０．２では水色でバーが表示され、０．０が白で表示され、０．２〜９．０ではピンクでバーが表示され、１０．０以上では赤でバーが表示される。
尚、図４の棒グラフにおいてバーの幅が特定時間幅、例えば、５分を示しており、図４では１６本のバーが表示されているため、直近日中足は、５分×１６本＝８０分の日中足が表示されるものである。
【００４０】
［株価情報蓄積処理］
次に、株価端末１の制御部１１における株価情報蓄積処理について図５を参照しながら説明する。図５は、株価情報蓄積処理のフローチャートである。
制御部１１は、記憶部１５から処理プログラムを主メモリ１２にロードして、処理が開始される。
まず、制御部１１は、受信部１３から株価情報の受信が有るか否かを判定し（Ｓ１）、受信があるまで（Ｎｏの場合）、この判定処理Ｓ１を繰り返す。
【００４１】
判定処理Ｓ１で株価情報の受信が有ると（Ｙｅｓの場合）、受信した株価情報が、４本値、比較のデータであるか、ヒストリカルデータであるかを判定する（Ｓ２）。
４本値、比較のデータであれば（Ｙｅｓの場合）、銘柄毎に４本値、比較のデータを４本値データ蓄積エリアに蓄積する（Ｓ３）。
【００４２】
また、４本値、比較のデータでなければ（Ｎｏの場合）、つまり、受信した株価情報がヒストリカルデータである場合には、銘柄毎にヒストリカルデータをヒストリカルデータ蓄積エリアに蓄積する（Ｓ４）。
処理Ｓ３，Ｓ４を行うと、処理を終了するが、受信データの蓄積処理は継続するので、また、スタートに戻って処理を繰り返すことになる。
【００４３】
［株価情報表示処理］
次に、株価端末１の制御部１１における株価情報表示処理について図６を参照しながら説明する。図６は、株価情報表示処理のフローチャートである。
制御部１１は、記憶部１５から処理プログラムを主メモリ１２にロードして、処理が開始される。
【００４４】
制御部１１は、記憶部１５に記憶されている表示設定情報を参照し（Ｓ１１）、設定されている表示フォーマットの情報を取得する。
次に、制御部１１は、記憶部１５に記憶されている銘柄登録情報を参照し（Ｓ１２）、表示対象の銘柄の識別情報を取得する。
【００４５】
次に、表示画面において、表示銘柄の全ての表示が終了したか否かを判定し（Ｓ１３）、表示銘柄の全てが表示終了したのであれば（Ｙｅｓの場合）、処理を終了する。
表示銘柄の全ての表示が終了していなければ（Ｎｏの場合）、大画面表示部２に対して、銘柄名、４本値、比較のデータを表示出力し（Ｓ１４）、続いて、直近の前日比較率を計算し、日中足表示情報テーブルを参照して、棒グラフのデータを出力する（Ｓ１５）。
記憶部１５の４本値データ蓄積エリアに時系列にデータが時刻と共に記憶されているので、そこから必要なデータ（現在値、前日終値等）を読み込んで、特定時間間隔（例えば、５分）で直近の前日比較率を算出する。
【００４６】
それから、銘柄登録情報を参照して、表示銘柄の全ての表示が終了したか否かを判定して（Ｓ１３）、まだ、表示されていない銘柄があれば（Ｙｅｓの場合）、次に表示予定の銘柄について処理Ｓ１４，Ｓ１５を行う。
このようにして、表示銘柄の全てについて図２に示すような画面の表示を行う。
【００４７】
［別の表示例］
図２では、銘柄毎に、４本値、比較、直近日中足を表示するようにしていたが、図７に示すように、４本値の内、始値、高値、安値を省略し、現在値のみを表示する簡易表示画面としてもよい。図７は、簡易型の株価一覧表示例を示す概略図である。
図７の簡易表示画面とすることで、縦型の表示画面（縦置きの表示装置）に対応することが可能となる。
【００４８】
［直近日足・週足表示］
図２及び図７では、直近日中足をグラフ表示するようにしているが、日中足の代わりに、日足、週足をグラフ表示するようにしてもよい。
例えば、直近１０日間の日足をグラフ表示する例について説明する。
まず、第１に、ヒストリカルデータ蓄積エリアを参照して、特定の銘柄について直近１０日間のデータの最下値、最上値を求める。第２に、余裕を持たせたグラフの最下点（例、最下点の２０％減）、最上点（例、最上値の２０％増）の値段を決定する（スケールの決定）。第３に、決定したスケールから現在値のグラフのサイズを求めてバーを描画する。
直近週足のグラフ表示も上記と同様に、直近１０週間の週足をグラフ表示させることも可能である。
【００４９】
［市場・業種別ランキング表示］
制御端末４を用いて指定した市場、指定した業種での各種ランキング表示を行う。具体的には、売上高上位、売買代金上位、値上がり幅上位、値下がり幅上位、値上がり率上位、値下がり率上位の順番で銘柄を並び替えて表示する。
例えば、売買代金上位銘柄を表示するときは、表示画面上部に、市場・業種、売買代金上位銘柄、代金の金額の表示項目を設け、見易いように、番号を付して表示する。無論、右側には、直近日中足表示部分を設けるものである。
【００５０】
［インターネット対応例］
本発明の実施の形態をインターネット対応としたシステムを図８、図９を参照しながら説明する。図８は、インターネット対応の株価一覧表示システムの構成ブロック図であり、図９は、データ編集装置での処理を示したフローチャートである。
インターネット対応の株価一覧表示システム（別のシステム）は、図８に示すように、情報提供会社サーバ２１と、クライアント２２と、証券取引所サーバ２３と、インターネット２４とを用いて実現される。
【００５１】
情報提供会社サーバ２１は、証券取引所サーバ２３から株価情報の配信を受け、株価情報蓄積装置２１ａに蓄積し、クライアント２２からの要求によってデータ編集装置２１ｂが株価情報蓄積装置２１ａから株価情報を検索して得られた株価情報に基づいて図２又は図７に示すような表示画面のデータを生成し、インターネット２４を介してクライアント２２に送信する。
【００５２】
クライアント２２は、インターネット２４を介して情報提供会社サーバ２１にアクセスし、要求した複数の銘柄について図２又は図７の表示画面のデータを受信して、その表示部に表示するものである。
尚、クライアント２２は、通常、複数存在するが、図８では説明を簡単にするために、一つだけを示している。
【００５３】
図８では、株価情報蓄積装置２１ａとデータ編集装置２１ｂとを別の装置としたが、一体の装置であってもよい。また、図８に示したサーバ、装置、クライアントは少なくとも制御部、主メモリ、記憶部、ネットワーク接続のインタフェース部を備えるコンピュータである。
また、図８では、証券取引所サーバ２３から情報提供会社サーバ２１は専用線で株価情報を受信するようになっているが、インターネット２４を介して受信するようにしてもよい。
【００５４】
次に、別システムにおける処理の流れを説明する。
図８に示すように、別システムでは、クライアント２２がインターネット２４を介して表示設定情報、指定の銘柄情報を情報提供会社サーバ２１に送信する（１）（２）。
情報提供会社サーバ２１のデータ編集装置２１ｂは、クライアント２２から受信した情報に基づいて株価情報蓄積装置２１ａを検索する要求を出力する（３）。
【００５５】
株価情報蓄積装置２１ａは、検索要求のあった株価情報をデータ編集装置２１ｂに出力する（４）。
データ編集装置２１ｂは、入力された株価情報に基づいて図２又は図７に示すような表示画面のデータを生成し、インターネット２４を介してクライアント２２に送信する（５）（６）。クライアント２２は、受信した表示画面のデータを表示部に表示する。
尚、証券取引所サーバ２３から株価情報蓄積装置２１ａへの株価情報の配信・蓄積は、適宜為されている（７）。
【００５６】
次に、データ編集装置２１ｂの制御部における処理を説明する。
データ編集装置２１ｂの制御部は、その記憶部に記憶する処理プログラムを主メモリにロードすることで実行可能とする。
具体的には、図９に示すように、データ編集装置２１ｂの制御部は、クライアント２２から表示設定情報、指定の銘柄情報を受信して入力し（Ｓ２１）、指定の銘柄情報に基づいて株価情報蓄積装置２１ａから指定の銘柄について直近の４本値、比較のデータを取得する（Ｓ２２）。
【００５７】
次に、制御部は、本システムで説明したのと同様に、直近の前日比較率を計算し（Ｓ２３）、記憶部に記憶する日中足表示情報テーブルを参照して、棒グラフのデータを生成する（Ｓ２４）。
そして、制御部は、銘柄名、４本値、比較、棒グラフのデータに基づいて表示画面データを生成してクライアント２４に送信出力する（Ｓ２５）。
【００５８】
このように、別システムにおいても、図２又は図７の表示画面をクライアント２２の表示画面に表示させることができる。
また、表示画面においては、直近日中足の棒グラフ表示の代わりに、日足の棒グラフ、週足の棒グラフを表示するようにしてもよい。
【００５９】
本システム又は別システムによれば、複数銘柄を一覧表示させる場合において、直近日中足、日足、又は週足を銘柄毎にグラフ表示させるようにしているので、複数銘柄の値動きを時間単位、日単位、週単位で容易に把握でき、閲覧者の利便性を向上させる効果がある。
【００６０】
また、本システムによれば、市場別・業種別に各種ランキングに応じて銘柄を並び替えて表示するようにしているので、各種ランキングによる銘柄の状況を容易に把握できる効果がある。
【産業上の利用可能性】
【００６１】
本発明は、株価一覧表示の画面において、複数銘柄について日中足、日足、若しくは週足の状況を表示して株価の動向を容易に把握できる株価一覧表示システムに好適である。
【図面の簡単な説明】
【００６２】
【図１】本発明の実施の形態に係る株価一覧表示システムの構成ブロック図である。
【図２】本発明の実施の形態に係る株価一覧表示例を示す概略図である。
【図３】日中足表示情報テーブルの概略図である。
【図４】直近日中足グラフ拡大図である。
【図５】株価情報蓄積処理のフローチャートである。
【図６】株価情報表示処理のフローチャートである。
【図７】簡易型の株価一覧表示例を示す概略図である。
【図８】インターネット対応の株価一覧表示システムの構成ブロック図である。
【図９】データ編集装置での処理を示したフローチャートである。
【図１０】従来の株価一覧の表示例である。
【符号の説明】
【００６３】
１…株価端末、  ２…大画面表示部、  ３…上位サーバ、  ４…制御端末、  １１…制御部、  １２…主メモリ、  １３…受信部、  １４…表示制御部、  １５…記憶部、  １６…インタフェース部、  ２１…情報提供会社サーバ、  ２１ａ…株価情報蓄積装置、  ２１ｂ…データ編集装置、  ２２…クライアント、  ２３…証券取引所サーバ
【図１】
2006236186.tif 000003
【図２】
2006236186.tif 000004
【図３】
2006236186.tif 000005
【図４】
2006236186.tif 000006
【図５】
2006236186.tif 000007
【図６】
2006236186.tif 000008
【図７】
2006236186.tif 000009
【図８】
2006236186.tif 000010
【図９】
2006236186.tif 000011
【図１０】
2006236186.tif 000012